(57)【要約】      （修正有）【課題】温められた天然岩小塊又は天然石板から伝達される温熱と放射される遠赤外線を利用した岩盤浴足温器を提供する。【解決手段】前面に傾斜した高さの低い長方形の正面板１と、該正面板１と平行に前面に傾斜した高さの高い長方形の背面板２と、前記正面板１と前記背面板２の側面を被う略台形形状の側面板３と、前記背面板２の上前端を被う長方形の天面板４と、前記正面板１、前記背面板２、前記側面板３で囲まれた底面を被う矩形状の底面板とから構成される筺体６と、該筺体６の背面板２に平行に固定された矩形平板状の広告掲示灯７と、前記筺体６内部に収納された天然岩小塊８又は天然石板とからなる。【選択図】図１
0003153425.tif 000002
【実用新案登録請求の範囲】
【請求項１】
前面に傾斜した正面板と、該正面板と平行に前面に傾斜した背面板と、前記正面板と前記背面板の側面を被う側面板と、前記背面板の上前端を被う天面板と、前記正面板、前記背面板、前記側面板で囲まれた底面を被う底面板とから構成される筺体と、該筺体の背面板に平行に固定された広告掲示灯と、前記筺体内部に収納された天然岩小塊又は天然石板とからなることを特徴とする岩盤浴足温器。
【請求項２】
前記背面板の下端には前記天面板と平行に脚板を設け、前記筺体の後部を持上げて、前方に傾斜した開口部を有する筺体を形成することを特徴とする請求項１記載の岩盤浴足温器。
【請求項３】
前記底面板の上には、前記底面板と同形の基材を載せ、該基材の上に断熱材を載せ、該断熱材の上にＰＴＣヒーターからなる発熱体を載せ、該発熱体の上に保温材を載せて、該保温材に上に前記天然岩小塊を収納することを特徴とする請求項１記載の岩盤浴足温器。
【請求項４】
前記広告掲示灯は、透明又は有色アクリル基板と透明アクリル板との間に挟まれた広告掲示板及び照明基板とから構成され、上から透明アクリル板、広告掲示板、照明基板、アクリル基板の順序で積層されることを特徴とする請求項１記載の岩盤浴足温器。
【考案の詳細な説明】
【技術分野】
【０００１】
本考案は、温められた天然岩小塊又は天然石板から伝達される温熱と放射される遠赤外線を利用した岩盤浴足温器に関する。
【背景技術】
【０００２】
従来、足の裏側からだけでなく上面からも遠赤外線による加温効果や抗菌効果を得ることができる足温器が知られている（特許文献１を参照）。
この公知技術は、両下肢を緩挿する穴のある蓋体及びその下面に取付けられた保温シートと、セラミックスを主成分とし直径５〜２０ｍｍの略球形に成形されたセラミックスボールを多数個積層して、両足が載る大きさの内底面を備えた筺体と、該筺体内を加温する加温装置とを備えている足温器である。
しかし、この公知技術は、両下肢を緩挿する穴のある蓋体で上部を覆うため、上面からも加温効果を得られるが、セラミックスボールが目隠しされて目視することができないので、目視による癒し効果を期待することができないし、広告宣伝効果も期待できないものであった。
さらにまた、遠赤外線による暖め効果を有し、しかも比較的短時間で起動が可能な足温器が知られている（特許文献２を参照）。
この公知技術は、堆積礫岩天然石板又はセラミック板を用いた採暖面部と、該採暖面部の裏面にＰＴＣヒーターからなる面状ヒーターを備える足温器である。
しかし、この公知技術は、堆積礫岩天然石板又はセラミック板を用いたため、暖められた堆積礫岩天然石板又はセラミック板からの遠赤外線により足が温められるが、抗菌効果を得ることができないし、広告宣伝効果も期待できないものであった。
【先行技術文献】
【特許文献】
【０００３】
【特許文献１】特願２００８-１３６８３４号公報
【特許文献２】実用新案登録第３１２５０４８号公報
【考案の概要】
【考案が解決しようとする課題】
【０００４】
本考案は、温められた天然岩小塊又は天然石板から伝達される温熱と放射される遠赤外線を利用した岩盤浴足温器を提供することを目的とする。
【課題を解決するための手段】
【０００５】
本考案の岩盤浴足温器は、前面に傾斜した正面板と、該正面板１と平行に前面に傾斜した背面板と、前記正面板と前記背面板の側面を被う側面板と、前記背面板の上前端を被う天面板と、前記正面板、前記背面板、前記側面板で囲まれた底面を被う底面板とから構成される筺体と、該筺体の背面板に平行に固定された広告掲示灯と、前記筺体内部に収納された天然岩小塊又は天然石板とからなるものである。
前記背面板の下端には前記天面板と平行に脚板を設け、前記筺体の後部を持上げて、前方に傾斜した開口部を有する筺体を形成する。
前記底面板の上には、前記底面板と同形の基材を載せ、該基材の上に断熱材を載せ、該断熱材の上にＰＴＣヒーターからなる発熱体を載せ、該発熱体の上に保温材を載せて、該保温材に上に前記天然岩小塊を収納する。
前記広告掲示灯は、矩形の透明又は有色アクリル基板と透明アクリル板との間に挟まれた広告掲示板及び照明基板とから構成され、上から透明アクリル板、広告掲示板、照明基板、アクリル基板の順序で積層される。
【考案の効果】
【０００６】
本考案の岩盤浴足温器は、前面に傾斜した正面板と、該正面板と平行に前面に傾斜した背面板と、前記正面板と前記背面板の側面を被う側面板と、前記背面板の上前端を被う天面板と、前記正面板、前記背面板、前記側面板で囲まれた底面を被う底面板とから構成される筺体と、該筺体の背面板に平行に固定された広告掲示灯と、前記筺体内部に収納された天然岩小塊又は天然石板とからなるものであるため、岩盤浴効果を伴った足温器となり、遠赤外線効果と広告宣伝効果を効率的に行うことができる。
前記筺体の後部を持上げて、前方に傾斜した開口部を有する筺体を形成するため、両足を入れる際にはスリッパを履くように挿入でき、また足先の上部が背面板２及び天面板４で覆われるので、保温効果が保たれる。
前記底面板の上には、前記底面板と同形の基材を載せ、該基材の上に断熱材を載せ、該断熱材の上にＰＴＣヒーターからなる発熱体を載せ、該発熱体の上に保温材を載せて、該保温材に上に前記天然岩小塊を収納するため、天然岩小塊に両足を載せて直接足裏を温めると共に天然岩小塊からの遠赤外線により加温することができる。
前記広告掲示灯は、矩形の透明又は有色アクリル基板と透明アクリル板との間に挟まれた広告掲示板及び照明基板とから構成され、上から透明アクリル板、広告掲示板、照明基板、アクリル基板の順序で積層されるため、第三者への宣伝広告効果を発揮すると共に、前記広告掲示灯７を反転させた場合には使用者への宣伝広告にもなる。
【図面の簡単な説明】
【０００７】
【図１】本考案の岩盤浴足温器の斜視図である。
【図２】本考案の岩盤浴足温器の横断面図である。
【図３】図２のＡ矢視方向から見た一部切除して示す広告掲示灯の正面図である。
【図４】広告掲示灯を分解して示す分解斜視図である。
【考案を実施するための形態】
【０００８】
本考案の岩盤浴足温器の一実施例を添付図面に基づいて、以下に説明する。
図１に示すように、本考案の岩盤浴足温器は、前面に傾斜した高さの低い長方形の正面板１と、該正面板１と平行に前面に傾斜した高さの高い長方形の背面板２と、前記正面板１と前記背面板２の側面を被う略台形形状の側面板３，３と、前記背面板３の上前端を被う長方形の天面板４と、前記正面板１、前記背面板２、前記側面板３で囲まれた底面を被う矩形状の底面板５とから構成される筺体６と、該筺体６の背面板５に平行に固定された矩形平板状の広告掲示灯７と、前記筺体６内部に収納された天然岩小塊８又は天然石板とからなる。
前記筺体６は、木製、プラスチック製、金属製などで形成することができる。
図中の９は発熱体電源コード、１０は広告掲示灯電源コードである。
【０００９】
図２に示すように、前記背面板２の下端には前記天面板４と平行に長方形の脚板１１を設け、前記筺体６の後部を持上げて、前方に傾斜した開口部１２を有する筺体６を形成する。
前記底面板５の上には、前記底面板５と同形の基材１３を載せ、該基材１３の上に断熱材１４を載せ、該断熱材１４の上にＰＴＣヒーターからなる発熱体１５を載せ、該発熱体１５の上に保温材１６を載せて、該保温材１６に上に前記天然岩小塊８を収納する。この実施例では天然岩小塊８としたが、これに代えて、例えば十和田石等の天然石板を収納することもできる。
前記広告掲示灯７は、前記背面板２の左右に固定した支持部材１７により挟持固定されるが、前記広告掲示灯７を回転可能に支持させて使用者側へ反転させることができるようにし、使用者が前記広告掲示灯７を見ることができるようにする。
図中の１８は広告掲示灯の制御盤である。
【００１０】
図３に示すように、前記広告掲示灯７は、矩形の透明又は有色アクリル基板１９と透明アクリル板２０との間に挟まれた広告掲示板２１及び照明基板２２とから構成され、上から透明アクリル板２０、広告掲示板２１、照明基板２２、アクリル基板１９の順序で積層される。
図４に示すように、矩形の透明又は有色アクリル基板１９には両側に支持孔２３が挿通されており、前記アクリル基板１９と同様に透明アクリル板２０にも支持孔２３が挿通されており、前記アクリル基板１９と前記透明アクリル板２０との間に挟まれる広告掲示板２１は、白色薄板に広告等の印刷面２４が施され、前記照明基板２２は有機ＥＬ（エレクトロルミネッセンス）又は無機ＥＬ（エレクトロルミネッセンス）からなる薄板である。
前記照明基板２２は、制御盤１８にテレビ受像機を形成し、地上デジタル放送を受信するように設けることもできる。
【００１１】
次に、本考案の岩盤浴足温器の操作動作を添付図面に基づいて、以下に説明する。
本考案の岩盤浴足温器の発熱体電源コード９及び広告掲示灯電源コード１０をコンセントに差し込み、発熱体１５及び照明基板２２を作動させ、前記発熱体１５のＰＣＴヒーターにより５０〜６０℃に天然岩小塊８を加熱し、かつ前記照明基板２２により広告掲示板２１にバックライトを当てて印刷面２４を照明する。
椅子に腰掛け、素足又は靴下を履いた両足を筺体６の中に入れ、天然岩小塊８に両足を載せて直接足裏を温めると共に天然岩小塊８からの遠赤外線により加温する。
前記筺体６は、図２に示すように前方に傾斜しているので、両足を入れる際にはスリッパを履くように挿入でき、また足先の上部が背面板２及び天面板４で覆われるので、保温効果が保たれる。
また、前記筺体６の背面板２には広告掲示灯７を備えているので、第三者への宣伝広告効果を発揮すると共に、前記広告掲示灯７を反転させた場合には使用者への宣伝広告にもなる。
さらに、前記照明基板２２に地上デジタル放送を受信するように設けると、利用者が足温中にテレビ放送を視聴することもできる。
【符号の説明】
【００１２】
１  正面板
２  背面板
３  側面板
４  天面板
５  底面板
６  筺体
７  広告提示灯
８  天然岩小塊
９  発熱体電源コード
１０  広告提示灯電源コード
１１  脚板
１２  開口部
１３  基材
１４  断熱材
１５  発熱体
１６  保温材
１７  支持部材
１８  制御盤
１９  アクリル基板
２０  透明アクリル板
２１  広告掲示板
２２  照明基板
２３  支持孔
２４  印刷面
【図１】
0003153425.tif 000003
【図２】
0003153425.tif 000004
【図３】
0003153425.tif 000005
【図４】
0003153425.tif 000006